(57)【特許請求の範囲】
【請求項１】
装置本体のフロント側より着脱され、前記装置本体内に供給する用紙を前記着脱方向と直交する方向に取出し可能に収納する用紙収納手段と、この用紙収納手段のフロント側に前記用紙収納手段に対して前記着脱方向に沿ってスライド可能に取着され、前記用紙収納手段の前記装置本体への装着時前記装置本体に当接する外装カバーと、一端が前記外装カバーに回動自在に取着され他端が常時押上げ方向に付勢される位置決めレバー及び、この位置決めレバー先端に取着され前記用紙収納手段の前記装置本体への着脱操作に連動して前記装置本体に設けられる固定ガイドに転接し、前記用紙収納手段の前記装置本体への装着時、前記固定ガイドに係合して前記用紙収納手段を装着位置に固定すると共に、前記用紙収納手段から離間する方向に付勢され、前記用紙収納手段より前記用紙を取出す取出し手段を、前記付勢手段に抗して前記用紙に当接するローラからなる位置決め手段とを具備する事を特徴とする給紙カセット装置。
【請求項２】
装置本体のフロント側より着脱され、前記装置本体内に供給する用紙を前記着脱方向と直交する方向に取出し可能に収納する用紙収納手段と、この用紙収納手段のフロント側に前記用紙収納手段に対して前記着脱方向に沿ってスライド可能に取着され、前記用紙収納手段の前記装置本体への装着時前記装置本体に当接する外装カバーと、前記用紙収納手段から離間する方向に付勢される様前記装置本体に支持され前記用紙収納手段の前記装置本体への固着時前記用紙を前記着脱方向と直交する方向に取出す取出し手段と、前記装置本体に固定され前記フロント側がテーパー状に形成されリア側のフック部がほぼ垂直に形成される固定ガイドと、一端が前記外装カバーに回動自在に取着され他端が常時押上げ方向に付勢される位置決めレバー及び、この位置決めレバー先端に取着され前記用紙収納手段の前記装置本体への着脱操作に連動して前記固定ガイドの前記フロント側に転接し、前記用紙収納手段の前記装置本体への装着時、前記固定ガイドのフック部に係合して前記用紙収納手段を装着位置に固定すると共に、前記取出し手段を前記付勢手段に抗して前記用紙に当接するローラからなる位置決め手段とを具備する事を特徴とする給紙装置。
【発明の詳細な説明】
【０００１】
【発明の属する技術分野】
本発明は、装置本体のフロント側にて着脱する給紙カセット装置内の用紙の横ずれを調整する給紙カセット装置及び給紙装置の改良に関する。
【０００２】
【従来の技術】
画像形成装置等にて、給紙カセット装置を用紙の取り出し方向と垂直な装置本体のフロント側に引き出す装置にあっては、給紙カセット装置に収納される用紙位置が画像形成位置とずれるいわゆる横ずれを生じた場合、従来、給紙カセット装置のフロントカバーを装置本体の筐体に当接する事により位置決めをするタイプのものにあっては、給紙カセット装置の一部を装置本体から引きだした状態でフロントカバーの取付け位置をスライドする事により横ずれ調整を行う装置もあった。しかしながら、給紙カセット装置を画像形成装置本体に固定するためのロック機構あるいは、給紙カセット装置の引き抜き時、ピックアップローラとの摺接により最上位の用紙がスキューされ、汚損されるのを防止する為、引き抜き前にピックアップローラを用紙から離間する為の接離手段をフロントカバー側に有する給紙カセット装置にあっては、一般には給紙カセット底面に設けられる横幅ガイドを、ラックとピニオンにより横ずれに応じて直接スライドしたり、或いは横幅ガイドを支持するベースをスライド調整する等して横ずれ調整を行っていた。
【０００３】
【発明が解決しようとする課題】
しかしながら横幅ガイドやベースをスライド調整するには、給紙カセット装置を装置本体から引き抜き、用紙を全て取り出した後、装置裏面のラック及びピニオン等を調整し、再度用紙をセットし直さなければならず、その調整操作が煩わしく操作性に劣るという問題を有していた。
【０００４】
そこで本発明は上記課題を除去するもので、給紙カセット装置を画像形成装置本体に固定するためのロック機構をフロントカバー側に有する給紙カセット装置においても、その横ずれ調整を容易に行え、更には調整操作時ピックアップローラとの干渉により最上位の用紙が汚損されるのを防止し、操作性及び信頼性に優れた給紙カセット装置及び給紙装置を提供する事を目的とする。
【０００５】
【課題を解決するための手段】
上記課題を解決するための請求項１に記載の発明は、装置本体のフロント側より着脱され、前記装置本体内に供給する用紙を前記着脱方向と直交する方向に取出し可能に収納する用紙収納手段と、この用紙収納手段のフロント側に前記用紙収納手段に対して前記着脱方向に沿ってスライド可能に取着され、前記用紙収納手段の前記装置本体への装着時前記装置本体に当接する外装カバーと、一端が前記外装カバーに回動自在に取着され他端が常時押上げ方向に付勢される位置決めレバー及び、この位置決めレバー先端に取着され前記用紙収納手段の前記装置本体への着脱操作に連動して前記装置本体に設けられる固定ガイドに転接し、前記用紙収納手段の前記装置本体への装着時、前記固定ガイドに係合して前記用紙収納手段を装着位置に固定すると共に、前記用紙収納手段から離間する方向に付勢され、前記用紙収納手段より前記用紙を取出す取出し手段を、前記付勢手段に抗して前記用紙に当接するローラからなる位置決め手段とを設けるものである。
【０００６】
又上記課題を解決するための請求項２に記載の発明は、装置本体のフロント側より着脱され、前記装置本体内に供給する用紙を前記着脱方向と直交する方向に取出し可能に収納する用紙収納手段と、この用紙収納手段のフロント側に前記用紙収納手段に対して前記着脱方向に沿ってスライド可能に取着され、前記用紙収納手段の前記装置本体への装着時前記装置本体に当接する外装カバーと、前記用紙収納手段から離間する方向に付勢される様前記装置本体に支持され前記用紙収納手段の前記装置本体への固着時前記用紙を前記着脱方向と直交する方向に取出す取出し手段と、前記装置本体に固定され前記フロント側がテーパー状に形成されリア側のフック部がほぼ垂直に形成される固定ガイドと、一端が前記外装カバーに回動自在に取着され他端が常時押上げ方向に付勢される位置決めレバー及び、この位置決めレバー先端に取着され前記用紙収納手段の前記装置本体への着脱操作に連動して前記固定ガイドの前記フロント側に転接し、前記用紙収納手段の前記装置本体への装着時、前記固定ガイドのフック部に係合して前記用紙収納手段を装着位置に固定すると共に、前記取出し手段を前記付勢手段に抗して前記用紙に当接するローラからなる位置決め手段とを設けるものである。
【００１３】
上記構成により本発明は、給紙カセット装置を装置本体に固定するためのロック手段あるいは給紙カセット装置の着脱操作中は、ピックアップローラを用紙から離間させる接離手段をカバーに設ける装置でありながら、給紙カセット装置を装置本体から引き抜く事無く、カバーの取着位置を用紙収納手段に対してスライドする事により横ずれを調整出来、調整時の操作性を向上出来る。
【００１４】
又上記構成により本発明は、給紙カセット装置の装置本体への固定時にはピックアップローラが用紙に当接され用紙の取り出し可能とされるものの、給紙カセット装置の着脱操作中は、ピックアップローラは用紙から離間される事から、給紙カセット装置の着脱操作中に用紙がスキューされ汚損されるのを防止出来、装置の信頼性が向上される。
【００１５】
更に上記構成により本発明は、単一のローラにて固定ガイドに係合すると共に取り出し手段を用紙に当接させることにより部品数を削減によるコストの低減を図れる。
【００１６】
【発明の実施の形態】
以下、本発明を図１乃至図６に示す第１の実施の形態を参照して説明する。
【００１７】
図１は、電子写真装置全体の内部構成を示すもので、原稿台３を有する装置本体１内の感光体２０の周囲には、その回転方向に沿って帯電チャ−ジャ２１、露光装置２２の露光部２２ａ，現像装置２３、転写チャ−ジャ２５、剥離チャ−ジャ２６、清掃装置２７、除電装置２８が順次配置されている。
【００１８】
又装置本体１の下方部には、感光体２０の転写位置方向に供給される用紙Ｐを収納し、用紙Ｐの供給方向と直交する装置本体１のフロント側より着脱を行うフロントローディングタイプの給紙カセット装置１０が装着されている。さらに装置本体１内には、給紙カセット装置１０から取り出し手段であるピックアップローラ１３により取り出される用紙Ｐを、感光体２０を経て装置本体１の左側に設けられる排紙トレイ９に導く用紙搬送路３１が形成されている。
【００１９】
この用紙搬送路３１の感光体２０より上流側には、ピックアップローラ１３により取り出された用紙Ｐを１枚ずつ分離搬送する分離搬送ローラ１４、用紙Ｐの先端を揃え、感光体２０との同期を取りつつ用紙を搬送するレジストロ−ラ対３２が配設され、下流側には、定着ロ−ラ３３、排紙ロ−ラ対３５が配置されている。
【００２０】
次に給紙カセット装置１０について詳述する。給紙カセット装置１０の用紙収納手段であるカセット容器３６のフロント側には、給紙カセット装置１０を装置本体１より引き出すための取手３７ａが形成され、給紙カセット装置１０の装置本体１への装着時に筐体１ａに当接されるフロントカバー３７が、調整ねじ３８により長穴３７ｂを介してスライド可能に取着されている。
【００２１】
フロントカバー３７には、ロック手段を構成し、引っ張りバネ４１により先端が上方に付勢されると共に、ストッパ４２ａにより上方への回動を規制される位置決めレバー４２が回動可能に取着され、その先端には、装置本体１の給紙カセット収納部４３上方に設けられる固定ガイド４４に転接し、固定ガイド４４のフック部４４ａに嵌まるローラ４６が取着されている。固定ガイド４４のフロント側４４ｂは傾斜されており、又フック部４４ａはほぼ垂直となるよう形成されている。
【００２２】
又位置決めレバー４２には給紙カセット装置１０の装置本体１への装着時に、ピックアップローラ１３を押し下げ用紙Ｐに当接させる接離部材である接離レバー４７が取着されている。即ち、図示しない駆動モータにより駆動伝達手段４８を介して回転され給紙カセット装置１０から用紙Ｐを取り出すピックアップローラ１３は、装置本体１に支持される付勢手段であるαバネ５０により矢印ｓ方向に付勢される付勢アーム５１によりリンクレバー５２を介し常時は用紙Ｐから離間する様上方に付勢される。一方、給紙カセット装置１０の装置本体１への装着によりピックアップ上下レバー５３が接離レバー４７により回動されると、αバネ５０に抗して付勢アーム５１が矢印ｓ方向と逆方向に回動され、ピックアップローラ１３は、自重により用紙Ｐに当接される様になっている。
【００２３】
次に作用についてのべる。コピ−開始にあたり、原稿を原稿台３上に載置し、コピ−枚数、コピ−倍率、用紙サイズ、画像濃度等のコピ−条件を操作パネル（図示せず）より入力する。そしてコピ−キ−（図示せず）のオンによりコピ−操作が開始されると、感光体２０はその回転に従い順次帯電、露光、現像の各工程を実施され、現像画像を形成される。
【００２４】
一方、給紙カセット装置１０にあっては、ピックアップローラ１３により取り出された最上位の用紙を分離搬送ロ−ラ１４にてレジストローラ対３２方向に１枚ずつ分離搬送する。
【００２５】
そしてレジストロ−ラ対３２にて一旦停止された用紙Ｐは、感光体２０上の現像剤像に同期して感光体２０と転写チャ−ジャ２５間の転写位置に送られ、感光体２０上の現像剤像を転写される。この現像剤像を転写された用紙Ｐは剥離チャ−ジャ２６により、感光体２０から剥離され、定着ロ−ラ３３に送られて画像を定着され、排紙トレイ９方向に排出される。尚、転写終了後感光体２０は、清掃装置２７、除電装置２８を経て次のコピ−可能とされる。
【００２６】
この様なコピー操作を行うに際し、装置本体１による画像形成位置に対して給紙カセット装置１０から供給される用紙Ｐの中心位置Ｐ１と画像中心位置Ｇ１とが横ずれを生じている場合は、図６（イ）に示す様に給紙カセット装置１０を装置本体１に固定した状態から、装置本体１から給紙カセット装置１０を引きだしそのフロント側の一部を露出させる。このとき、取手３７ａを強く引くと、ローラ４６は、引っ張りバネ４１による位置決めレバー４２の上方への付勢力に抗して、フック部４４ａを矢印ｔ方向に転接して図６（ロ）に示す様にフック部４４ａから外れる。又、同時に接離レバー４７が引き下げられ、ピックアップ上下レバー５３から離間する。これによりαバネ５０の付勢力により付勢アーム５１が矢印ｓ方向に回動されリンクレバー５２が矢印ｕ方向に回動される事により、ピックアップローラ１３も同方向に回動し、用紙Ｐから離間する。
【００２７】
従って、給紙カセット装置１０はその引き出し時に、ピックアップローラ１３との摺接により用紙Ｐを汚損したり或いはスキューを生じる事無くスムースに引き出される事となる。そして装置本体１から露出された調整ねじ３８をゆるめ、横ずれの程度に応じて長穴３７ｂに沿ってカセット容器３６に対するフロントカバー３７の取付け位置を調整した後再度ねじ留めする事となる。即ち、図６（ハ）に示す様に画像中心位置Ｇ１に対して用紙中心位置Ｐ１がＬ１横ずれしていた場合、カセット容器３６に対してフロントカバー３７の取付け位置を点線で示す位置から矢印ｖ方向にＬ１ずらして横ずれを調整する。
【００２８】
この様な調整操作を終了したら、給紙カセット装置１０を装置本体１に押し入れ再度固定するが、この装着操作時、図６（ニ）に示す様にローラ４６は固定ガイド４４のフロント側４４ｂに転接し、引っ張りバネ４１に抗して徐々に押し下げられた後、図６（ホ）に示す様にフック部４４ａに嵌まり、筐体１ａに当接されるフロントカバー３７と共に装置本体１を挾み込み給紙カセット装置１０を装置本体に装着固定する事となる。そしてこの間ローラ４６がフック部４４ａに嵌まる迄は、ピックアップローラ１３はαバネ５０の付勢力により用紙Ｐから離間されており、ローラ４６がフック部４４ａに嵌まると同時に接離レバー４７によるピックアップ上下レバー５３の矢印ｗ方向への回動により、ピックアップローラ１３は用紙Ｐ上に当接され用紙Ｐの取り出しが可能とされる。
【００２９】
この様に構成すれば、給紙カセット装置１０を装置本体１に固定するためのフロントカバー３７に位置決めレバー４２が取着される給紙カセット装置１０において、画像形成位置に対し用紙Ｐが横ずれを生じた場合、給紙カセット装置１０の一部を装置本体１から露出した状態でフロントカバー３７をスライド調整するのみで容易に調整出来、調整時の操作性向上を図れる。
【００３０】
しかも、横ずれ調整のために給紙カセット装置１０を引き出す際、引きだし開始と同時に接離レバー４７によるピックアップ上下レバー５３の押上げが解除され、ピックアップローラ１３が用紙Ｐから離間され、次に給紙カセット装置１０が装置本体１に固定される事により再度ピックアップローラ１３が用紙Ｐに当接される事から、給紙カセット装置１０を装置本体１に対して着脱操作する間は、ピックアップローラ１３と用紙Ｐとが干渉する惧れがなく、ピックアップローラ１３によるスキューにより、用紙が汚損される事がなく、装置の信頼性が向上される。
【００３１】
次に本発明の第２の実施の形態を図７乃至図１０を参照して説明する。尚第２の実施の形態は、第１の実施の形態における接離レバー４７をローラ４６に兼用させたものであり、他は第１の実施の形態と同一である事から同一部分については同一符号を付し、その説明を省略する。
【００３２】
即ち、位置決めレバー４２先端には、固定ガイド４４のフック部４４ａに嵌まると共に、ピックアップ上下レバー５６を回動する幅広の兼用ローラ５７が取着されており、ピックアップ上下レバー５６は兼用ローラ５７の転接が容易となるようその転接側に傾斜部５６ａが形成されている。
【００３３】
そして横ずれ調整を行うため給紙カセット装置１０を装置本体１から引き出すと、兼用ローラ５７は、引っ張りバネ４１による位置決めレバー４２の上方への付勢力に抗して、フック部４４ａから外れると同時にピックアップ上下レバー５６から離間する。これによりαバネ５０の付勢力により付勢アーム５１は矢印ｓ方向に回動され第１の実施の形態と同様、リンクレバー５２を矢印ｕ方向に回動する事により、ピックアップローラ１３を図８に示す様に上方に回動し、用紙Ｐから離間する。
【００３４】
従って、給紙カセット装置１０はその引き出し時に、ピックアップローラ１３との摺接により用紙Ｐを汚損したり或いはスキューを生じる事無くスムースに引き出される事となる。そして第１の実施の形態と同様にして横ずれを調整した後、給紙カセット装置１０を装置本体１に再度装着すると、兼用ローラ５７は固定ガイド４４のフロント側４４ｂに転接し、引っ張りバネ４１に抗して徐々に押し下げられた後、図９及び図１０に示す様にフック部４４ａに嵌まり、筐体１ａに当接されるフロントカバー３７と共に装置本体１を挾み込み給紙カセット装置１０を装置本体１に装着固定すると同時にピックアップ上下レバー５３を矢印ｗ方向に回動させ、αバネ５０の付勢力に抗してピックアップローラ１３を用紙Ｐ上に当接させ用紙Ｐの取り出しを可能とする。
【００３５】
この様に構成すれば、第１の実施の形態と同様に、調整時の操作性向上を図れると共に、給紙カセット装置１０を引き出す際のピックアップローラ１３との摺接によるスキューにより、用紙が汚損される事がなく装置の信頼性が向上され、更には兼用ローラ５７が固定ガイド４４に係合すると共にピックアップ上下レバー５３を回動する事から、ピックアップ上下レバー５３を回動するための接離レバーが不要に成り部品の削減によるコストダウンを図れる。
【００３６】
尚、本発明は、上記実施の形態に限定されるものでは無く、その趣旨を変えない範囲での変更は可能であって、例えば装置本体の構造は任意であり、給紙カセット装置を複数有するものであっても良い。又固定ガイドのフック部は、給紙カセット装置の引き出しと同時にピックアップローラを用紙から離間させるには垂直である事が望ましいが、用紙に悪影響を与えない範囲で、多少角度を設ければ、ローラをスムースに外せ、給紙カセット装置を引き出し易くなる。更に横ずれの調整量或いは調整方向等も任意である。
【００３７】
【発明の効果】
以上説明したように本発明によれば、給紙カセット装置を装置本体から完全に引き抜く事無く、そのフロント側の一部を装置本体から露出した状態で横ずれ調整を行える事から、調整時の操作性を向上出来る。又給紙カセット装置を挿脱操作する間は、給紙カセット装置を装置本体から引き出すのみで取り出し手段を用紙から離間出来ることから、給紙カセット装置の引き出し操作開始時或いは給紙カセット装置の装着操作終了時に用紙がスキューされ、用紙自身が汚損される事がなく装置の信頼性を向上出来る。
【図面の簡単な説明】
【図１】本発明の第１の実施の形態の装置本体を示す構成図である。
【図２】本発明の第１の実施の形態の給紙カセット装置を装置本体に装着した状態を示す概略説明図である。
【図３】本発明の第１の実施の形態のカセット容器とフロントカバーとの接続状態を示す一部上面図である。
【図４】本発明の第１の実施の形態の給紙カセット装置引き出し時におけるピックアップローラ及び固定ガイドを下方より見た概略斜視図である。
【図５】本発明の第１の実施の形態の給紙カセット装置を装置本体に装着した時のピックアップローラ及び固定ガイドを下方より見た概略斜視図である。
【図６】本発明の第１の実施の形態の横ずれ調整操作を示し（イ）はその横ずれ調整前の給紙カセット装置の装置本体への固定状態を示す概略説明図、（ロ）はその給紙カセット装置の引き出し開始時を示す概略説明図、（ハ）はそのフロントカバーの調整を示す概略説明図、（ニ）はその給紙カセット装置の装置本体への装着操作開始時を示す概略説明図、（ホ）はその横ずれ調整終了後の給紙カセット装置の装置本体への固定状態を示す概略説明図である。
【図７】本発明の第２の実施の形態の給紙カセット装置を装置本体に装着した状態を示す概略説明図である。
【図８】本発明の第２の実施の形態の給紙カセット装置引き出し時におけるピックアップローラ及び固定ガイドを下方より見た概略斜視図である。
【図９】本発明の第２の実施の形態の給紙カセット装置を装置本体に装着した時のピックアップローラ及び固定ガイドを下方より見た概略斜視図である。
【図１０】本発明の第２の実施の形態の兼用ローラが固定ガイドのフック部に嵌まった状態を図９矢印Ａ方向から見た側面図である。
【符号の説明】
１…装置本体
１０…給紙カセット装置
１３…ピックアップロ−ラ
３６…カセット容器
３７…フロントカバー
３７ｂ…長穴
３８…調整ねじ
４１…引っ張りバネ
４２…位置決めレバー
４４…固定ガイド
４４ａ…フック部
４６…ローラ
４７…接離レバ−
５０…αバネ
５１…付勢アーム
５２…リンクレバー
５３…ピックアップ上下レバー
５６…ピックアップ上下レバー
５７…兼用ローラ
【図１】
0003730329.tif 000002
【図２】
0003730329.tif 000003
【図３】
0003730329.tif 000004
【図４】
0003730329.tif 000005
【図５】
0003730329.tif 000006
【図６】
0003730329.tif 000007
【図７】
0003730329.tif 000008
【図８】
0003730329.tif 000009
【図９】
0003730329.tif 000010
【図１０】
0003730329.tif 000011